(57)【特許請求の範囲】
【請求項１】
ゴルフパターヘッドであって、
ヒール端部と、トウ端部と、ヒール端部とトウ端部の間に配置されている中間部とを有するゴルフボールを打つためのフェースと、
フェースの略後方に設けられている後方重量部材と、
フェースから後方重量部材に向けて伸びているアームと、
フェースから後方に向けて伸びているウィングと、を備えており、
フェースのヒール端部の下側部分、フェースのトウ端部の下側部分、アーム、及び後方重量部材は、第１密度の第１材料で形成されている下構成要素に含まれており、
フェースのヒール端部の上側部分、フェースのトウ端部の上側部分、フェースの中間部及びウィングは、第２密度の第２材料で形成されている上構成要素に含まれており、
第２密度は、第１密度よりも軽く、
アームは、フェースのヒール端部の下側部分から後方重量部材に向けて伸びている第１アームと、フェースのトウ端部の下側部分から後方重量部材に向けて伸びている第２アームとを有しており、
ウィングは、第１アーム上の少なくとも一部に設けられている第１ウィングと、第２アーム上の少なくとも一部に設けられている第２ウィングとを有しており、
下構成要素と上構成要素は、少なくとも（１）フェースのヒール端部の下側部分とフェースのヒール端部の上側部分の間、（２）フェースのトウ端部の下側部分とフェースのトウ端部の上側部分の間、（３）第１アームと第１ウィングの間、（４）第２アームと第２ウィングの間、の４つの部分で接続されており、
下構成要素に含まれるフェースのヒール端部の下側部分とトウ端部の下側部分は、上構成要素に含まれるフェースの中間部で隔てられているゴルフパターヘッド。
【請求項２】
アームは、フェースの中間部から後方重量部材に向けて伸びている第３アームをさらに有することを特徴とする請求項１のゴルフパターヘッド。
【請求項３】
下構成要素は、金属で形成されており、
上構成要素は、ポリマーで形成されていることを特徴とする請求項１のゴルフパターヘッド。
【請求項４】
下構成要素と上構成要素は、留め具によって固定されていることを特徴とする請求項１のゴルフパターヘッド。
【請求項５】
上構成要素に形成されている複数の突起部をさらに備えており、
突起部は、下構成要素に形成されている複数の穴に適合することを特徴とする請求項４のゴルフパターヘッド。
【請求項６】
第１突起部と第１穴は、前記（１）の部分に配置されており、
第２突起部と第２穴は、前記（２）の部分に配置されていることを特徴とする請求項５のゴルフパターヘッド。
【請求項７】
少なくとも１つの留め具は、前記（１）の部分に配置されており、
他の少なくとも１つの留め具は、前記（２）の部分に配置されていることを特徴とする請求項６のゴルフパターヘッド。
【請求項８】
第３突起部と第３穴は、前記（３）の部分に配置されており、
第４突起部と第４穴は、前記（４）の部分に配置されていることを特徴とする請求項５〜７のいずれか一項に記載のゴルフパターヘッド。
【発明の詳細な説明】
【技術分野】
【０００１】
本発明は、一般に、ゴルフ用具、特に、異なる密度の材料で形成されている上構成要素と下構成要素を備えたゴルフパターヘッドに関する。
【背景技術】
【０００２】
ゴルフ用具における最近の開発は、大きな慣性モーメントを有するゴルフパターヘッドを提供している。例えば、Ｄ．Ｗ．アンダーソン（Ａｎｄｅｒｓｏｎ）に付与された特許文献１は、名称をダンサー（ＤＡＮＳＥＲ）として市販されているパターヘッドを開示している。アンダーソンのパターヘッドは、下側のプレート状部材上に形成されているヒールウェイト及びトウウェイトを備えている。ヒールウェイト、トウウェイト、ならびに下側のプレート状部材は、青銅または鋼のような重量材料を用いて製造されることが好ましい。好ましくはプラスチックまたはアルミニウムのような軽量材料を用いて製造される上側のシェル状部材は、ヒールウェイト及びトウウェイトを閉じ込めるために下側のプレート状材料に固定されている。Ｍ．Ｊ．ネルソン（Ｎｅｌｓｏｎ）に付与された特許文献２は、名称をネリー（ＮＥＬＬＩ）として市販されているパターヘッドを開示している。ネルソンのパターヘッドは、鋼のような高密度材料を用いて形成された馬蹄形の本体を有している。馬蹄形の本体は、厚くしたヒール部分およびトウ部分を有する。馬蹄形の本体は、ポリウレタンのような低密度材料を用いて形成されている挿入部材を収容するキャビティを含む。挿入部材は、パターヘッドの総重量の約１５％を構成することが好ましく、一方、パターヘッドの合計体積の５０％超を構成することが好ましい。さらに、Ｊ．Ａ．ソルヘイム（Ｓｏｌｈｅｉｍ）らに付与された特許文献３は、名称をクレイジー（ＣＲＡＺＥ）として市販されているパターヘッドを開示している。ソルヘイムらのパターヘッドは、フェース部材に連結する中央部材を備えている。中央部材は、フェース部材の後方に設けられている厚くした部分と、フェース部材のヒール端部及びトウ端部から後方に向けて伸びている一組のアームを備えている。
【０００３】
【特許文献１】米国特許第５，４８２，２８１号明細書
【特許文献２】米国特許第５，８４２，９３５号明細書
【特許文献３】米国特許第６，９６０，１４０号明細書
【発明の開示】
【課題を解決するための手段】
【０００４】
本明細書で開示されるゴルフパターヘッドは、ヒール端部と、トウ端部と、ヒール端部とトウ端部の間に配置されている中間部とを有するゴルフボールを打つためのフェースを備えている。後方重量部材がフェースの略後方に設けられており、アームがフェースから後方重量部材に向けて伸びている。フェースのヒール端部の一部、フェースのトウ端部の一部、アーム、及び後方重量部材は、第１密度の第１材料で形成されている下構成要素に含まれる。フェースのヒール端部の他の部分、フェースのトウ端部の他の部分、及びフェースの中間部は、第２密度の第２材料で形成されている上構成要素に含まれる。第２密度は、第１密度よりも軽い。第１材料は好ましくは金属であり、その場合、第２材料は好ましくはポリマーである。
【０００５】
前記ゴルフパターヘッドの好ましい態様では、下構成要素と上構成要素は、留め具によって固定されている。上構成要素に形成されている複数の突起部は、下構成要素に形成されている複数の穴に適合可能である。少なくとも１つの突起部と少なくとも１つの穴は、フェースのヒール端部に配置されている。さらに、他の少なくとも１つの突起部と他の少なくとも１つの穴は、フェースのトウ端部に配置されている。少なくとも１つの留め具はフェースのヒール端部に配置されており、同時に、他の少なくとも１つの留め具がフェースのトウ端部に配置されている。フェースのヒール端部の下側部分とフェースのトウ端部の下側部分は、下構成要素に含まれる。フェースのヒール端部の上側部分とフェースのトウ端部の上側部分は、上構成要素に含まれる。
【発明を実施するための最良の形態】
【０００６】
図１の斜視図に示すように、ゴルフパター１０は、パターヘッド１５と、シャフト１６と、グリップ１７を備えている。シャフト１６の下側端部は、パターヘッド１５のホーゼル２６に挿入されている。シャフト１６の上側端部には、グリップ１７が固定されている。図２に、パターヘッド１５の上面図を示す。図２に示すように、パターヘッド１５は、ゴルフボールを打つためのフェース２０を備えている。フェース２０は、ヒール端部２１と、トウ端部２２と、ヒール端部２１とトウ端部２２の間に配置されている中間部２３を備えている。パターヘッド１５はさらに、フェース２０の略後方に配置されている後方重量部材２５を備えている。第１アーム４１はフェース２０のヒール端部２１から後方重量部材２５まで伸びており、第２アーム４２はフェース２０のトウ端部２２から後方重量部材２５まで伸びている。第３アーム４３は、フェース２０の中間部２３から後方重量部材２５まで伸びている。
【０００７】
図３の分解図に示すように、パターヘッド１５は、下構成要素３１と、上構成要素３２と、前挿入部材３３と、後挿入部材３４と、ネジ３６、３７及びブッシング３８、３９を有する留め具とを備えている。下構成要素３１は、第１密度又は高密度の材料、例えば第１密度を有する金属で形成されている。上構成要素３２は、第２密度又は低密度の材料、例えば第２密度を有するポリマーで形成されている。第２密度は第１密度よりも軽いので、パターヘッド１５は低重心を有する。好ましい態様では、第２密度は、第１密度の半分以下の重さである。下構成要素３１は、好ましくは鋼又はタングステンで形成されており、同時に、上構成要素３２はポリマー又は炭素繊維で形成されている。
【０００８】
パターヘッド１５は、比較的に高い慣性モーメントを有するように構成されている。高い慣性モーメントを実現するために、重量は、フェースのヒール端部２１、フェースのトウ端部２２、及び後方重量部材２５に集中されている。フェースのヒール端部２１の下側部分８１、フェースのトウ端部２２の下側部分８２、アーム４１、４２、及び後方重量部材２５は全て、下構成要素３１の部品として一体で形成されている。フェースの中間部２３、フェースのヒール端部２１の上側部分８３、及びフェースのトウ端部２２の上側部分８４は全て、上構成要素３２の部品として一体で形成されている。上構成要素３２は第１ウィング部１０８と第２ウィング部１０９を備えている。第１ウィング部１０８は、下構成要素３１の第１アーム４１の頂面上に配置されている。第２ウィング部１０９は、下構成要素３１の第２アーム４２の頂面上に配置されている。
【０００９】
留め具又はネジ３６、３７は、上構成要素３２を下構成要素３１に固定する。ネジ３６、３７は、下構成要素３１の穴５６、５７内に挿入されているブッシング３８、３９を通って、上構成要素３２の突起部１０６、１０７に螺合されている。ネジ３６はフェース２０のヒール端部２１に配置されており、同時に、ネジ３７はフェース２０のトウ端部２２に配置されている。上構成要素３２と下構成要素３１の固定は、適切な接着剤を採用してもよい。突起部１０６、１０７は、穴５６、５７に適合しており、穴５６、５７内に突出している。他の突起部１０１、１０２も、他の穴５１、５２に適合しており、他の穴５１、５２内に突出している。突起部１０１、１０２は、上構成要素３２のウィング部１０８、１０９に形成されている。また、穴５１、５２は下構成要素３１のアーム４１、４２に形成されている。突起部１０６と穴５６はフェース２０のヒール端部２１に配置されており、突起部１０７と穴５７はフェース２０のトウ端部２２に配置されている。
【００１０】
必要に応じて、穴５６、５７及び突起部１０６、１０７は、テーパ状に加工されていてもよい。また、穴５１、５２及び突起部１０１、１０２も、テーパ状に加工されていてもよい。突起部１０１、１０２、１０６、１０７が穴５１、５２、５６、５７に適合し、穴５１、５２、５６、５７内に突出することによって、下構成要素３１と上構成要素３２の間の横方向のズレが防止される。
【００１１】
挿入部材３３、３４は、接着剤又は両面テープを利用することによって、下構成要素３１に固定されているか、上構成要素３２に固定されているか、又は下構成要素３１と上構成要素３２の双方に固定されている。挿入部材３３、３４は、ポリマー又はプラスチックで形成されており、位置合わせ用の手段を備えている。図２に示すように、例えば、位置合わせ用の手段は、前挿入部材３３の表面に形成されているライン２８である。
【図面の簡単な説明】
【００１２】
【図１】シャフトに固定された状態の本発明のゴルフパターヘッドの斜視図を示す。
【図２】図１に示したゴルフパターヘッドの上面図である。
【図３】図２に示したゴルフパターヘッドの分解図である。
【図４】図２に示したゴルフパターヘッドの上面図である。
【図５】図２に示したゴルフパターヘッドの側面図である。
【図６】図２に示したゴルフパターヘッドの分解側面図である。
【図７】図２に示したゴルフパターヘッドの底面図である。
【図８】図２に示したゴルフパターヘッドの前面図である。
【図９】図２に示したゴルフパターヘッドの背面図である。
【図１０】図２に示したゴルフパターヘッドの斜視図である。
【符号の説明】
【００１３】
１０：ゴルフパター
１５：パターヘッド
１６：シャフト
１７：グリップ
２０：フェース
２１：ヒール端部
２２：トウ端部
２３：中間部
２５：後方重量部材
２６：ホーゼル
２８：ライン
３１：下構成要素
３２：上構成要素
３３：前挿入部材
３４：後挿入部材
３６、３７：ネジ
３８、３９：ブッシング
４１：第１アーム
４２：第２アーム
４３：第３アーム
５１、５２、５６、５７：穴
８１、８２：下側部分
８３、８４：上側部分
１０１、１０２、１０６、１０７：突起部
１０８：第１ウィング部
１０９：第２ウィング部
【図１】
0004777287.tif 000002
【図２】
0004777287.tif 000003
【図３】
0004777287.tif 000004
【図４】
0004777287.tif 000005
【図５】
0004777287.tif 000006
【図６】
0004777287.tif 000007
【図７】
0004777287.tif 000008
【図８】
0004777287.tif 000009
【図９】
0004777287.tif 000010
【図１０】
0004777287.tif 000011